(57)【要約】映像データに基づいて光を発生し且つ放射するための電気光学構造（２９）を有し、且つ、光を投影面（３）に方向付けるための光学系（９）を有し、光学系（９）は、光のための移動可能な方向変更機構（８’）を有し、方向変更機構（８’）は、画像投影のための方向変更部（８ａ）と、選択的な雰囲気光投影のための別個の光透過部（８ｂ）とを有する、映像を投影面に投影するための装置（１）。
2006527414.tif 000002
【特許請求の範囲】
【請求項１】
映像データに基づいて光を発生し且つ放射するための電気光学手段と、
前記光を投影面に方向付けるための光学系とを有し、
該光学系は、前記光のための移動可能な方向変更手段を有し、
該方向変更手段は、画像投影のための方向変更部と、選択的な雰囲気光投影のための別個の光透過部とを有する、
映像を投影面に投影するための装置。
【請求項２】
前記方向変更手段は、２つの基本動作位置の間で移動可能であり、１つの基本動作位置では、映像投影のための前記方向変更部だけが活性であり、他の基本動作位置では、映像投影のための前記方向変更部に加えて、雰囲気光のための前記光透過部も活性である、請求項１に記載の装置。
【請求項３】
前記方向変更手段は、旋回可能な方向変更鏡を有し、該方向変更鏡の方向変更部は、反射的に設計され、且つ、前記別個の光透過部の近傍に配置されている、請求項１に記載の装置。
【請求項４】
前記別個の光透過部は半透明鏡によって形成されている、請求項３に記載の装置。
【請求項５】
前記別個の光透過部は屈折素子の形態である、請求項１に記載の装置。
【請求項６】
前記電気光学手段は、前記映像の高さ方向に投影されている前記映像の電子的変位のための映像変位手段を有する、請求項１に記載の装置。
【請求項７】
前記電気光学手段は、前記雰囲気光投影のための部分映像を発生するための光パターン発生手段を有する、請求項１に記載の装置。
【請求項８】
結合映像を形成するよう、その高さ方向に変位した映像と前記部分映像とを結合するための結合手段が設けられ、前記結合映像は、前記光学系を介して送信可能である、請求項６又は７に記載の装置。
【請求項９】
前記光パターン発生手段は制御手段に接続され、該制御手段は光パターンパラメータを設定するよう設計されている、請求項７に記載の装置。
【請求項１０】
前記制御手段は、前記映像データを分析するよう構成された映像分析器に接続され、且つ、前記制御手段は、該映像分析器によって供給される、前記映像データの分析の結果の関数として、制御信号を前記光パターン発生手段に送信するよう設計されている、請求項９に記載の装置。
【請求項１１】
前記制御手段は、音声データを分析するよう設計された音声信号分析器に接続され、且つ、前記制御手段は、前記音声信号分析器によって供給される、前記音声信号の分析の結果の関数として、制御信号を前記光パターン発生手段に送信するよう設計されている、請求項９に記載の装置。
【請求項１２】
部屋内の設置のために床取付ユニットとして構成されている、請求項１に記載の装置。
【発明の詳細な説明】
【技術分野】
【０００１】
本発明は投影面に映像を投影するための装置に関する。装置は、映像データに基づいて光を発生し且つ放射するための電気光学手段と、光を投影面に方向付けるための光学系とを含み、光学系は、光のための移動可能な方向変更手段を有する。
【背景技術】
【０００２】
所望に、投影モードでは映像を投影し、或いは、照明モードでは部屋を照明するよう構成された装置は、特許文献ＪＰ０６−１８０４４７から既知である。投影モードと照明モードとの間の変化は、２つの鏡を含む複数組の複数鏡によって達成され、この種類の複数鏡の各組における１つの鏡は蝶番動作可能に配置されている。照明モードにおいて、蝶番動作可能な複数鏡は光のビーム経路の外側に旋回され、複数鏡の残りを用いて、赤、緑、及び、青の三原色の光ビームが、及ぼされた制御に依存した異なる強度で、外部に発光される。所望に調節される部屋の照明がこのようにして得られるのは事実であるが、この照明は映像投影の代わりに得られるに過ぎず、後者と同時ではなく、それは不利である。
【発明の開示】
【発明が解決しようとする課題】
【０００３】
従って、上記に特定されたような、映像の、例えば、ビデオ映画の投影又は再生と同時に、部屋内の特別な照明を得ることのできる、映像を投影するための装置を提案することが本発明の目的である。加えて、映像の再生時に、所謂「シネマスコープ」ストリップ（９：１６のアスペクト比を有するビデオ映画が３：４規格で再生されるときに、映像の上縁又は下縁に現れるストリップ）を削減し或いは完全に回避し得る技法が提供されるべきであり、それによって映像規格内に得られる空間は他の目的のために用いられる。
【０００４】
具体的には、本発明は、再生される特別な追加的照明が、映像内容又はそれによって提供される情報に関係し、且つ、それを視覚的に高める技法を提供する、ことに尽力する。
【０００５】
具体的な参考として、この場合には、事前プログラム化されたシーケンスによってを別として、特別な照明を用いて取得し得る雰囲気「ムード」が、映像内容、所望であれば、音声信号内容の自動分析によって生成可能とされるよう用意がなされる。次に、単に部屋を照らすために用いられるのは別として、この種類の雰囲気照明は、投影映像の部分を充填するためにも用いられるべきであり、映像のこれらの部分は映像からシネマスコープストリップを取り除くことによって得られる。
【課題を解決するための手段】
【０００６】
よって、本発明は以下を特徴とし得る装置を提供する。即ち、
【０００７】
映像を投影面に投影するための装置であって、映像データに基づいて光を発生し且つ放射するための電気光学手段と、光を投影面に方向付けるための光学系とを有し、光学系は、光のための移動可能な方向変更手段を有し、方向変更手段は、画像投影のための方向変更部と、選択的な雰囲気光投影のための別個の光透過部とを有する装置。
【０００８】
よって、映像を投影するための本装置において、映像投影のために用いられる方向変更手段の方向変更部に加え、標準を定められる選択的な雰囲気光投影のための別個の光透過部が利用可能である。その設計の故に、この別個の光透過部は、特別な形態で、例えば、如何なるさらなる作用も投影されるべき光ビームに取られることなしに、光を色のスペクトルに分離することによって、光伝達をもたらすことが容易に可能である。そのような方法で作用された光を別個の光透過部によって部屋内に照明として外部に発光し得るが、投影面に投影されている映像を補完するために、それを投影面に透過し得る。この雰囲気光投影は常に起こる必要はないので、１つの基本動作位置では、映像投影のための方向変更部のみが活性であるのに対し、他の基本動作位置では、映像投影のための方向変更部に加えて、雰囲気光投影のための別個の光透過部も活性である用意が有利になされ得る。
【０００９】
特別に単純な実施態様では、方向変更手段は旋回可能な方向変更鏡を含み、その方向変更部は反射的であるよう設計され、且つ、別個の光透過部の近傍に配置される。この場合には、別個の光透過部は、例えば、映像内の２つのシネマスコープストリップの結合された高さに対応する高さの、狭いストリップの形態で存在することが可能であり、且つ、それを単に屈折的であるよう構成し得るのが好ましい。もし方向変更鏡が入射光ビームに対して適切に調節されるならば、その場合、２つのシネマスコープストリップに対応するサイズの領域が頂部に明瞭に残るよう、もし映像が投影面上で必要に応じて垂直方向に、例えば、下方に移動されるならば、加えて、別個の光透過部を用いて、投影映像と反対方向に、部屋照明を生成することによって、この種類の雰囲気光投影を映像投影内に遂行し得る。さらに、後方部屋照明が得られるのに加えて、投影面にムード光が得られるよう、半透明鏡によって別個の光透過部を形成し得る。
【００１０】
９：１６ビデオ映画が異なるアスペクト比の規格で上映されるときに、シネマスコープストリップを邪魔物の少ない形態で表わすための技法が、特許文献ＪＰ０８−３１４４２１Ａに既に記載されている。この目的のために、シネマスコープストリップは、それらが通常そうであるような黒色ではなく、色で表わされる。しかしながら、これは２つの目障りなストリップを映像の頂縁及び底縁に依然として生成する。
【００１１】
基本的には、例えば、底のシネマスコープストリップが方向変更部のない方向変更手段を打ち、その結果、方向変換されないような方法で、方向変更手段を特別な位置に設定することによって、上に接触された映像伝達を達成し得る。しかしながら、便利な映像投影のために、もし電気光学手段が映像の高さ方向に投影されるべき映像の電子変位のための映像変位手段を有するならばより良い。
【００１２】
生成されるべき強度、色、期間に関して変調される如何なる所望の光パターンをも可能にするために、電気光学手段がストリップ形態の部分映像のための光パターン発生手段を有し、電気光学手段が雰囲気光投影を生成する用意も有利になされ得る。この場合には、もし光学系を介して伝達され得る結合又は統合映像を形成するよう高さ方向で変位された映像とストリップ形態の部分映像とを結合又は統合するための結合手段が有利であることも分かった。ストリップ形態の部分映像は、別個の光透過部で方向変更鏡を打つのに対し、変位された映像、即ち、例えば、（シネマスコープストリップのない）ビデオ映画内の所望映像は方向変更部を打つ。このようにして、方向変更鏡の、或いは、一般的な表現では、方向変更手段の、如何なる煩わしい調節もなしに、所望映像及び雰囲気光投影の所望結合を自動的に達成し得る。
【００１３】
この場合に、発生された光パターンが所望の方法で変調されるのを可能にするために、光パターン発生手段は、光パターンのパラメータを設定するための制御手段に接続されるのが好ましい。光パターンが発生されるときに、メモリ内に記憶された特定シーケンスを利用可能とするために、これらの制御手段はプロセッサ及びメモリを備え得る。しかしながら、もし制御手段が映像データを分析する映像分析器に接続されているならば、また、それらが制御信号を映像分析器によって遂行された映像分析の関数として光パターン発生手段に送信するよう構成されているならば、特に有利である。或いは、もし制御手段が音声データを分析するよう構成された音声信号分析器に接続されているならば、制御手段は制御信号を音声データの分析の関数として光パターン発生手段に送信するよう構成される。このようにして、再生されるべき映像又は音声信号を分析することによって、適合された雰囲気照明及び光投影を自動的に取得し得る。
【００１４】
本発明に従った装置を卓上ユニットとして構成し得るが、部屋内に配置するための床取付ユニットの形態であるのが好ましい。
【００１５】
本発明のこれらの及び他の特徴は以下に記載される実施態様を参照することで明瞭に解明されるであろうが、本発明はこれらの実施態様に限定されるものとして考えられるべきではない。
【発明を実施するための最良の形態】
【００１６】
図１に示されているのは、映像２を部屋５の壁４上の投影面３に投影するための装置１であり、投影面３は距離Ｄに位置する。それ自体は既知であるように、部屋５の床７上に設置するために、装置はベース６を有する床取付ユニットの形態である。以下に短く投影機と呼ぶ、映像を投影するためのこの種類の装置は、ホームシネマシステムで益々用いられ、その場合、投影機は、映像形成、即ち、投影のために必要な光ビームを発生するために、例えば陰極管又はＬＣＤパネルのような広範な技法を用いる。他の用途分野はプレゼンテーションの目的のための投影機である。映像データ、及び、適切である場合には音声データも、オンラインで接続されたＰＣから、ＣＤプレーヤー又はＤＶＤプレーヤーのような再生ステーションから、或いは、直接的にインターネット接続から電子的に投影機に供給され得る。アンテナ入力を介して無線でもビデオ及び音声データの供給を遂行することができ、その場合、投影機の電子手段は、それ自体は普通であるように、チューナ等を有する音声及びビデオ入力ステージを含む。そのような品目は全て十分に周知であり、従って、それらがここで詳細に記載されるべき必要はない。
【００１７】
投影されるべき映像２は、本投影機１によって方向変更手段８'（図２を参照）を用いて壁４に投影される。方向変更手段８'は、投影機１の光学系９の一部を形成し、且つ、反射部８ａを有する方向変更鏡８の形態であり、その場合には、方向変更鏡８は、図２中に一点鎖線で示される第一の活性方向変更位置又は基本動作位置で、水平線と約４５°の角度をなし得る。それは床取付ユニットの形態であるので、本投影機１は、垂直ビーム通路、即ち、垂直主光学軸１０を内部的に有するよう構成され、且つ、映像２を満足に壁４に投影し得ることを保証するよう、例えば１．５ｍ〜２ｍのオーダの適当な高さである。方向変更鏡８は旋回鏡の形態で構成され、それに対する水平位置Ｃで、図１及び２に示される図において、それは反時計回り方向に下方に旋回され、それは蝶番付きカバーとして投影機の上部に載り、光のための出口開口１１を閉じる。水平位置Ｃにおいて、方向変更鏡８は投影機１の内部の構成部材を粉塵及び汚れ等から保護する。他方、方向変更動作位置Ａでは、方向変更壁８は、壁４上での映像２の垂直位置がその反射部８ａと正確に位置付けられるのを許容し、その場合には、必要であれば、遮蔽手段、シネマスクリーン等も投影面固有として壁４上に設け得る。方向変更鏡８の傾斜角度の精細な調節によって、壁４での映像の前記垂直位置付けを遂行可能であり、それは投影機１の高さが全体として調節されるべき必要がないことを意味する。この種類の傾斜調節の場合には、基本的補正が補正アルゴリズムを用いた方向変更鏡８の傾斜角度に基づてなされるべきことも既知である（例えば、米国特許出願公開第２００２／０１０５６２３Ａを参照）。
【００１８】
この種類の従来的な壁投影のためにと同様に、本投影機１は選択的な雰囲気光投影を生成するためにも配置され、よって、例えば、部屋の特別な雰囲気照明によって形成された、投影機１のための追加的な可能な用途を創成する。壁４に投影される映像と類似する映像を投影するためにこの雰囲気光投影を用い得るが、部屋５内に特定の光「ムード」を生成するために光投影を部屋５内にもたらすことも等しく可能である。基本的には、人々を癒し且つリラックスさせるためにこの種類の光投影を用い得るが、それらが好んで用いられるのは、投影されている映像２に適合された光の環境「雰囲気」を創成し、よって、例えば、ビデオ映画、音楽映画、又は、ビデオクリップが鑑賞されるときに、特別な雰囲気を部屋５内に生成することである。
【００１９】
この選択的な雰囲気光投影を生成するために、方向変更鏡８は方向変更部８ａの近傍に別個の光透過部８ｂを有する。この光透過部８ｂは、旋回鏡８が第一活性動作位置Ａにあるときには、不活性であるが、後者が図２中に実線で示される第二活性動作位置Ｂにあるときには、光円錐１２によって覆われる。この光円錐１２は投影機１の光学系９に起源する。この場合には、この別個の光透過部８ｂは、光を屈折するよう構成され、且つ、方向変更部８ａ近傍、例えば、動作位置Ｂにおける後者の上に、ストリップの形態で構成されている。別個の光透過部８ｂの屈折挙動の故に、光の対応ストリップは方向変更鏡８の反対側に通過することが許容される（図２中の光円錐１２ｂを参照）。この光円錐１２ｂは、又は、より一般的な表現では、部屋５内へのこの光投影は、上に接触される雰囲気照明を生成し、その場合には、この効果は映像投影固有と同時に得られる。別個の光透過部材８ｂは光屈折及び光反射の双方であるよう構成された半透明鏡の形態を取り得る、ことを述べ得る。この場合には、別個の光透過部材８ｂを用いて（図２中の関連する境界光線１２'及び１２”を参照）、ストリップ形態の部分映像２ｂを映像固有２（図１を参照）の上方の壁４の投影面３に投影可能であり、同時に、別個の光透過部材８ｂが屈折特性を有する半透明鏡の形態であるという事実の故に、光の対応ストリップは方向変更鏡８の反対側に通過することが許容される（再び図２中の光円錐１２ｂを参照）。双方の場合において、生成され且つ投影された映像は、方向変更鏡８が第一基本位置Ａに位置する映像投影のみの場合よりも（基本動作位置Ａ及びＢに旋回される２つの角度の間の差と一致した）分量？ｙ（図１を参照）だけより高く位置する（この関連で、図２中の基本動作位置Ａ及びＢにおける方向変更鏡８での方向変更後の各光学軸１０'及び１０”も参照）。
【００２０】
図２中に同様に概略的に示されるのは、投影機１のハウジング１４上に光のための出口開口１１の側面に沿って設けられ方向変更鏡８のための旋回取付１３である。
【００２１】
基本的には手動で方向変更鏡８を旋回可能であり、その場合には、方向変更鏡が配置された如何なる位置にも摩擦係合によって固定状態に維持されるよう、旋回取付１３が比較的堅固に配置されるのが考えられる。所望であれば、基本動作位置Ａ及びＢに正確に位置付けるために、調節可能停止手段又は戻り止を設け得る。
【００２２】
しかしながら、方向変更鏡８のために、旋回取付１３で方向変更鏡８に関連付けられ（図２を参照）且つ出力ギアボックスを有する、例えば、電気モータ１５の形態の電動式駆動部が設けられるのが好ましく、その場合、この駆動モータ１５は、例えば、それとの回転で堅固であるべく、方向変更鏡８又はそのシャフトに接続された歯付きセクタ又はピニオン（図示せず）を駆動する。また、正確な角度位置をもたらすために、角度符号化手段を設け得る。鏡が再位置付けされるのを許容するこの種類の電動式駆動は当業者に周知であり、従って、それらにここで詳細に立ち入る必要はない。
【００２３】
光学系９の自動焦点のために、図示されていないさらなるモータを設け得る。方向変更鏡８のためのモータ１５と同様に、このモータもモータ駆動回路１６（図２を参照）によって動作可能であり、そのモータ駆動回路１６の入力はモータ制御回路１７に接続されている。モータ制御回路１７は操作者入力のための入力モジュール２８に接続され、その場合には、従来的な映像投影又は選択的雰囲気光投影を備えた映像投影のいずれかが選択されるときに、（モータ制御回路１７、モータ駆動回路１６、及び、モータ１５を用いて）方向変更鏡８を適切な動作位置Ａ又はＢに自動的に制御可能とするために、この入力モジュール２８は例えば電子選択手段１９を含み得る。
【００２４】
入力モジュール１８は、例えば、光学系９の手動調節焦点のためのような他の入力を備え得る。
【００２５】
図３には、一般的には入力ユニット２０と表現されるものが示されており、それは、上述の入力モジュール１８と、ビデオ入力モジュール２１と、音声入力モジュール２２とを含む。例えば、下流にＡ／Ｄ変換器段２４を備えたアナログビデオ入力段２３及びそれと平行なデジタルビデオ入力段２５を有するビデオ入力モジュール２１の下流に接続されているのは、デジタル信号プロセッサ回路（ビデオＤＳＰ）２６であり、駆動回路２８を介した光源２７の制御のための対応映像データが、入射するデジタルのビデオ入力信号又は初期的にはアナログだがデジタル化されたビデオ入力信号から、基本的に従来的な方法で得られるのを可能にする。述べられたように、例えばＬＣＤパネルを用いて光源を実施し得る。この場合には、映像発生のための電気光学手段２９をこれらの構成部材によって形成し得る。
【００２６】
同様に、多チャネル増幅器３１を介してラウドスピーカ３２を駆動する音声信号プロセッサユニット（音声ＤＳＰ）３０が、音声入力モジュール２２に接続されている。
【００２７】
デジタル信号プロセッサ２９，３０において、ビデオ及び音声信号の分析を遂行し得るので、「雰囲気照明」の場合には、事前プログラム化された分析に対応する光効果をそれらから発生し得る。適切な色、適切な強度、時間に亘る適切なシーケンスの光の適合パターンをビデオ及び音声信号の分析から直接的に発生し得るのが好ましい。このようにして、例えば音声信号がダンス音楽であるところでは、パーティのムードを盛り上げるために、異なる色の稲妻状光効果を部屋５内に自動的に生成し得る。
【００２８】
他方、図１及び２との関係で上記説明されたように、本投影機１を用いて、ストリップ形態の部分映像２ｂを投影映像２に加えることも可能である。このストリップ形態の部分画像２ｂを用いて、映像２を全体として例えば９：２２のアスペクト比を備えた標準的な現代の映像規格に重ね当て可能であり、その場合には、通常のシネマスコープストリップは除去される。冒頭部分において既に指し示されたように、この種類のストリップは、普通黒色であり、ビデオ映画における異なるアスペクト比（３：４アスペクト比がビデオ映画のために最良である）の結果として生じるが、ワイド９：２２規格のビデオ映画が益々頻繁に利用可能になってきているので、より一層普通であり且つより最新のアスペクト比である９：１６は依然として理想的ではない。もしそのようなワイド映像規格が再生されなければならないならば、及び、もし通常の投影で用いられている技術が余り良好でなく且つ然程ワイドでない映像規格のために用いられるならば、その結果は周知の上縁及び下縁における黒色ストリップ、「シネマスコープ」ストリップである。これらのシネマスコープストリップは目立ち、映像が投影面３上に投影されるときでさえ邪魔物である。これは図４Ａ及び４Ｂに概略的に示されている状況であり、ここで、図４Ａは光源２７によって発生したシネマスコープストリップ３３'，３４'を有する映像２'（図３を参照）を示しており、図４Ｂは灰−黒色シネマスコープストリップ３３，３４を有する投影映像２（図１も参照）を示している。
【００２９】
従って、これらのシネマスコープストリップ３３，３４を実質的に完全に除去する措置が本投影機１において取られ、この場合には、それらの代わりに、図１中の高さ変位？ｙと等しい、即ち、２つのシネマスコープストリップ３３，３４全体の高さと等しい高さのストリップ形態の部分映像２ｂを有する上述の選択的な雰囲気光投影が用いられる。
【００３０】
これは図５Ａ及び５Ｂに概略的に示されており、図５Ａは再び光源２７で直接的に発生した映像２'を示し、図５Ｂは壁４での映像２を示している。詳細には、この場合になされることは、映像固有の（投影映像に対して）下方への変位が、その高さ方向で、電気光学手段２９（図３を参照）内で電子的に遂行されることであり、アスペクト比が維持される。映像２'の上縁に、これは分離領域３５'によって映像固有から分離されたストリップ形態の再生領域２ｂ'を生成する。図５Ａ及び５Ｂに示されるように、分離領域３５はこの場合には比較的狭い。
【００３１】
投影映像２は例えば９：２２の所望のアスペクト比で再生されるべきビデオ映像を包含し、分離領域３５によって形成された狭いストリップは再び上縁に位置する。また、その上に位置付けられて、もし別個の光透過部８ｂが、述べられたように、反射的でもあるよう構成されているならば、投影ストリップ、即ち、上述のストリップ形態の部分映像２ｂがある。
【００３２】
部分映像２ｂのこの反射が省略されることが、換言すれば、別個の光透過部８ｂが反射的でなく単に屈折的であるよう構成されることがしばしば有益であり得ることを再び述べなければならず、その場合には、図２に示される境界光線１２'は映像投影の上方境界を既に形成し、境界光線１２”はない。
【００３３】
部屋内の雰囲気照明として得られるものは（図２中の光円錐１２ｂを参照）、光の対応パターンであり、その光のパターンは異なる階調の投影光１２ｂ'のストリップとして図５Ｂに示されている。図３に示されるビデオ信号プロセッサ２６の助けを得て、部屋５内のこの雰囲気照明を発生可能であり、映像の下方変位は、図６を参照することによって今や詳細に説明されるように、ビデオ信号プロセッサ２６内で同様に電子的に達成される。
【００３４】
図６に示されるように、ビデオ信号プロセッサ２６は従来的な設計のビデオ信号映像分析器３６を含み、この映像分析器３６は、例えば、光、支配的な色、及び、ビデオ映画内の移動速度の動的変化、さらに、ビデオ映画内の画像切替え間の時間の動的変化さえも分析し得る。映像データの分析の結果として映像分析器３６が生成するものは、認識及び分類ユニット３７に供給される対応する特徴ベクトルであり、それらはそこで分析され、例えば、個別パラメータのための対応する記憶値と比較され、且つ、適切な方法で分類される。下流の音声／ビデオ相関ユニット３８では、このようにして得られた分析データは、対応する方法で音声信号ＤＳＰ３０から得られた分析データと相関される。
【００３５】
詳細には、復号段３９における初期的な多チャネル復号の後、音声信号ＤＳＰ３０も、例えば、スペクトルエネルギー、一次包絡曲線、動的範囲、容積、テンポ、及び、ビートのようなパラメータによって、音声信号分析器４０固有における信号分析を遂行し、音声データ分析の結果を示す対応する特徴ベクトルは、再び分析され、且つ、音声信号認識及び分類ユニット４１で分類される。この後、このようにして得られた分析データは相関ユニット３８に供給される。ちょうど再生されたシーンの本質の認識は、相関ユニット３８で遂行される相関によって向上する。
【００３６】
音声又はビデオ信号中の特定の所望パラメータの強度又は重要性をもたらして発生する特徴ベクトルを用いて、基本的にビデオ及び音声信号分析のための様々なアルゴリズムがあることを述べなければならない。割当てアルゴリズムを用いて、全ての入力の重要性が認識及び分類ユニット３７，４１でチェックされ、このようにして映像及び音声のそれぞれのシーケンスの本質の推定がなされることを許容する。
【００３７】
図６に示されるように、相関ユニット３８に接続されているのは、光パターン発生手段４２であり、光パターン発生手段は、それらに供給された相関データに基づいて、事前プログラム化された規約のための正当な許容差を伴った、光の二次元パターンを発生する。光源の制御後及び投影後、この光のパターンは、図５Ｂに示されている上述の部分映像２ｂ、又は、雰囲気照明１２ｂをもたらす。この目的のために、光パターン発生手段４２内に発生する光のパターンは、電子結合手段４３の助けを得て、映像固有と結合又は統合され、これは後者が電子映像変位手段４４内で垂直方向に変位された後になされる。
【００３８】
このようにして、映像投影、即ち、例えば、ビデオ映画の再生を、上記の雰囲気光投影によって例示されたように、ムード光と組み合わせることが可能であり、ムード光は、投影映像の関数として、及び、ちょうど再生された音声信号の関数としても変調される。外部入力を介して、例えば、入力ユニット４５の手段として人によって入力又は選択される事前プログラム化されたシーケンスを介して、光の変調を定め得る。構成部材３７，３８，４１と同様に、よって、入力ユニット４５は、光パターン発生手段４２のための制御手段４６の一部を形成する。
【００３９】
もしムード光の自動投影が望ましければ、それが映画が上映されるときに同時に再生される動的シーンであれ、即ち、それが発生している映像の迅速シーケンスであれ、或いは、それが再生されているアクションシーン（画像切替えが素早い連続で次々に起こり、且つ、発泡、爆発、又は、類似物が関連する音声信号で再生される）であれ、或いは、それが上映される静かで静止的なシーンであれ、生成されているビデオ及び音声信号分析器３６，４０の助けを得て、それを分析、即ち、決定し得る。ちょうど再生された映像及び音声信号にそれぞれ適合する光の色を選択可能であり、この雰囲気背景照明を用いてムードを盛り上げるために、また、例えば、映画中のドラマの動的シーンを増大するために、光の輝度及び色もこのようにして順番にパルス化し得る。投影光１２'のストリップの左手側と右手側との間に区別がなされ（図５Ｂを参照）、このようにして、見られている映画内で何が起こっているかの関数として、投影光が同様に空間的に別個に変調されることも考え得る。もし、例えば、爆発がその時ちょうど再生された映像のシーケンスの左手側に上映されているならば、同様な方法で赤色光のパルスを投影光１２ｂ'のストリップの左手側に発生し得る。
【００４０】
光のパターンを発生するために、適切な光パターンデータが前もって映像データ内に組み込まれ或いは符号化され、且つ、それがビデオ信号プロセッサ２６にデータストリームで供給されることも考え得る。この種類の事前符号化の利点は、その場合には、映像及び音声でその時に起こっているプロセスの如何なる推定も必要ないことであり、照明効果が例えば映画スタジオ内に既に含まれているので、このようにして光のパターンの発生は大幅に単純化される。
【００４１】
本技法の場合の利点であるものは、よって、追加的な光源の必要なしに、映像投影と同時に雰囲気照明が可能になり、さらに、最も多様な方法で、且つ、特に、その時にちょうど再生された映像及び音声情報の関数として、強度及び色に関して雰囲気照明を変え得るという事実である。
【００４２】
個別的な設定のために、例えば、入力ユニット２０への入力のために、また、具体的には個々の活性手段、この場合にはモータのために、遠隔操作を普通の方法で提供し得る。
【図面の簡単な説明】
【００４３】
【図１】映像を部屋の壁に投影するための装置を示す概略図であり、該装置は床取付ユニットの形態である。
【図２】映像を投影するための装置の上部を極めて概略的に示す縦断面図である。
【図３】装置の電子的及び光学的手段を概略的に示すブロック図である。
【図４Ａ】電子手段の光源で従来技術の装置において得られる種類の映像を示す概略図であり、
【図４Ｂ】投影面で従来技術の装置において得られる種類の映像を示す概略図である。
【図５Ａ】本発明が適用されたときの映像の図４Ａに対応する映像を示す概略図である。
【図５Ｂ】本発明が適用されたときの映像の図４Ｂに対応する映像を示す概略図である。
【図６】本装置の電子手段で用いられる電子分析及び制御手段を詳細に示すブロック回路図である。
【図１】
2006527414.tif 000003
【図２】
2006527414.tif 000004
【図３】
2006527414.tif 000005
2006527414.tif 000006
2006527414.tif 000007
【図６】
2006527414.tif 000008
【国際調査報告】
2006527414.tif 000009
2006527414.tif 000010